(57)【特許請求の範囲】
【請求項１】
接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、
補助接点用固定接触子及び当該補助接点用固定接触子に接離可能に配設された補助接点用可動接触子を有する２組以上の補助接点機構を収納する前記主接点収納部に対して仕切り板で分割された補助接点収納部と、
前記主接点用可動接触子及び前記補助接点用可動接触子を個別に連結して可動させる可動プランジャを有する電磁石ユニットと
を直列に配設し、
前記補助接点機構は、前記補助接点用固定接触子を挿通保持する補助接点用固定接触子保持部と、接触スプリングを介して前記補助接点用可動接触子を保持する補助接点用可動接触子保持部とを備え、
前記補助接点用可動接触子保持部は、前記可動プランジャに対して可動方向に位置調整可能とされていることを特徴とする電磁開閉器。
【請求項２】
前記可動プランジャと前記主接点用可動接触子とを連結する連結軸を備え、
前記補助接点用可動接触子保持部の位置調整を行なう、前記連結軸の前記補助接点用可動接触子保持部及び前記可動プランジャ間に外嵌された円筒体と、前記補助接点用可動接触子保持部を前記可動プランジャ側に押圧する復帰スプリングとを備えていることを特徴とする請求項１に記載の電磁開閉器。
【請求項３】
前記可動プランジャは、前記補助接点収納部内に延長する延長部を有し、該延長部に前記補助接点用可動接触子保持部が螺合されて軸方向に位置調整可能とされていることを特徴とする請求項１に記載の電磁開閉器。
【請求項４】
前記補助接点収納部には、前記補助接点用可動接触子保持部の回転を阻止する回転阻止部材が配設されていることを特徴とする請求項３に記載の電磁開閉器。
【請求項５】
前記可動プランジャと前記主接点用可動接触子とを連結する連結軸を備えていることを特徴とする請求項３又は４に記載の電磁開閉器。
【請求項６】
前記連結軸は、前記可動プランジャに螺合されて軸方向に位置調整可能とされていることを特徴とする請求項５に記載の電磁開閉器。
【請求項７】
前記主接点収納部及び前記補助接点収納部が当該補助接点収納部を前記電磁石ユニット側として直列に配置されていることを特徴とする請求項１乃至６の何れか１項に記載の電磁開閉器。
【請求項８】
前記補助接点用固定接触子保持部は、前記補助接点用固定接触子を挿通保持する挿通孔を前記補助接点用可動接触子の可動方向に離間し、且つ前記補助接点用可動接触子の可動方向と直交する方向に対向して形成され、
前記補助接点用可動接触子保持部を前記連結軸に前記可動方向と直交する方向から見て表裏反転可能に支持させると共に、前記補助接点用可動接触子保持部の補助接点用可動接触子側に前記接触スプリングとは反対側から対向するように補助接点用固定接触子保持部の互いに対向する挿通孔に前記補助接点用固定接触子を配置したことを特徴とする請求項２、５、６の何れか１項に記載の電磁開閉器。
【請求項９】
前記補助接点用可動接触子保持部は、一方の端部に前記接触スプリングを電磁石ユニット側として補助接点用可動接触子を保持し、他方の端部に前記接触スプリングを前記主接点収納部側として補助接点用可動接触子を保持するように構成されていることを特徴とする請求項８に記載の電磁開閉器。
【請求項１０】
前記補助接点用可動接触子保持部は、両端部に前記接触スプリングを電磁石ユニット側として補助接点用可動接触子を保持するように構成されていることを特徴とする請求項９に記載の電磁開閉器。
【請求項１１】
前記補助接点用可動接触子保持部は、両端部に前記接触スプリングを主接点収納部側として補助接点用可動接触子を保持するように構成されていることを特徴とする請求項９に記載の電磁開閉器。
【請求項１２】
前記補助接点機構は、前記主接点機構の投入状態で接触するａ接点と、前記主接点機構の釈放状態で接触するｂ接点とで構成されていることを特徴とする請求項１乃至１１の何れか１項に記載の電磁開閉器。
【請求項１３】
前記補助接点機構は、複数のａ接点で構成されていることを特徴とする請求項１乃至１１の何れか１項に記載の電磁開閉器。
【請求項１４】
前記補助接点機構は、複数のｂ接点で構成されていることを特徴とする請求項１乃至１１の何れか１項に記載の電磁開閉器。
【請求項１５】
接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、
補助接点用固定接触子及び当該補助接点用固定接触子に接離可能に配設された補助接点用可動接触子を有する２組以上の補助接点機構を収納する補助接点収納部と、
前記主接点用可動接触子を連結軸で連結し且つ前記補助接点用可動接触子を延長部で連結して可動させる可動プランジャを有する電磁石ユニットとを直列に配置し、
前記補助接点用可動接触子を保持する補助接点用可動接触子保持部を前記可動プランジャの延長部に螺合させ、前記連結軸を前記可動プランジャに螺合させた状態で、
前記可動プランジャと前記補助接点収納部との間に釈放時における前記主接点機構の主接点用固定接触子及び主接点用可動接触子間と前記補助接点機構の補助接点用固定接触子及び補助接点用可動接触子間との接点ワイプ量に相当するワイプ量調整板を介挿するステップと、
前記可動プランジャを回動させて、前記補助接点用固定接触子及び前記補助接点用可動接触子を接触させるステップと、
次いで、前記連結軸を回動させて前記主接点用固定接触子及び前記主接点用可動接触子を接触させるステップと、
次いで、前記ワイプ量調整板を取り外すステップと
を備えたことを特徴とする電磁開閉器の接点位置調整方法。
【請求項１６】
接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、
補助接点用固定接触子及び当該補助接点用固定接触子に接離可能に配設された補助接点用可動接触子を有する２組以上の補助接点機構を収納する補助接点収納部と、
前記主接点用可動接触子を連結軸で連結し、前記補助接点用可動接触子を延長部で連結して可動させる可動プランジャを有する電磁石ユニットとを直列に配置し、
前記補助接点用可動接触子を保持する補助接点用可動接触子保持部を前記可動プランジャに螺合させ、前記連結軸を前記可動プランジャに螺合させた状態で、
前記可動プランジャと前記補助接点収納部との間に釈放時における前記主接点用固定接触子と主接点用可動接触子との間及び前記補助接点用固定接触子と前記補助接点用可動接触子間のギャップに相当するギャップ調整板を介挿するステップと、
前記可動プランジャを回動させて、前記補助接点用固定接触子及び前記補助接点用可動接触子を接触させるステップと、
前記ギャップ調整板を取り外し、前記主接点用固定接触子と前記主接点用可動接触子との間及び前記補助接点用固定接触子と前記補助接点用可動接触子との間の接点ワイプ量に相当するワイプ量調整板を介挿するステップと、
次いで、前記連結軸を回動させて前記主接点用固定接触子及び前記主接点用可動接触子を接触させるステップと、
次いで、前記ワイプ量調整板を取り外すステップと
を備えたことを特徴とする電磁開閉器の接点位置調整方法。
【発明の詳細な説明】
【技術分野】
【０００１】
本発明は、一対の固定接触子及び可動接触子を有する主接点機構と、固定接触子及び可動接触子を有する補助接点機構とを備えた電磁開閉器及びその接点位置調整方法に関する。
【背景技術】
【０００２】
電磁継電器や電磁接触器などの電磁開閉器では、高電流の通電及び遮断を行う主接点機構と、主接点機構の動作と連動する補助接点機構を設ける場合がある。このように主接点機構及び補助接点機構を設ける場合には、例えば特許文献１に記載されたものが知られている。この特許文献１に記載された電磁開閉器では、電磁石ユニットの可動プランジャに連結軸によって連結された可動接触子が一対の固定接触子間に接離可能に配置されている。そして、連結軸の可動接触子より突出する先端に対向して補助接点端子プッシャが配置され、この補助接点端子プッシャによって補助接点可動端子が押圧される。補助接点可動端子は、補助接点端子プッシャが連結軸で押圧されていない状態では、補助接点がオフ状態となり、補助接点端子プッシャが連結軸で押圧されている状態では補助接点がオン状態となる。
【先行技術文献】
【特許文献】
【０００３】
【特許文献１】米国特許第７９４４３３３号明細書
【発明の概要】
【発明が解決しようとする課題】
【０００４】
しかしながら、上記特許文献１に記載された従来例にあっては、主接点機構の固定端子の近傍に補助接点機構が配置されているので、主接点機構との絶縁をとるために接点の大きさ、接点数、接点構成が限られてしまい、補助接点機構の遮断限界値が小さく接点寿命が短いという未解決の課題がある。また、補助接点機構の可動接触子が片持ちバネ構造で剛性が弱く、ギャップ寸法のバラツキが大きく、主接点機構とのミラーコンタクトをとることが難しいという未解決の課題もある。さらに、接点構成が限られ様々な顧客の要望に対応できないという未解決の課題もある。
そこで、本発明は、上記従来例の未解決の課題に着目してなされたものであり、補助接点機構の構成の自由度が大きく、主接点機構及び補助接点機構のミラーコンタクトを確実に取ることができる電磁開閉器及びその接点位置調整方法を提供することを目的としている。
【課題を解決するための手段】
【０００５】
上記目的を達成するために、本発明に係る電磁開閉器の第１の態様は、接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、補助接点用固定接触子及び当該補助接点用固定接触子に接離可能に配設された補助接点用可動接触子を有する２組以上の補助接点機構を収納する前記主接点収納部に対して仕切り板で分割された補助接点収納部と、前記主接点用可動接触子及び前記補助接点用可動接触子を個別に連結して可動させる可動プランジャを有する電磁石ユニットとを直列に配設し、前記補助接点機構は、前記補助接点用固定接触子を挿通保持する補助接点用固定接触子保持部と、接触スプリングを介して前記補助接点用可動接触子を保持する補助接点用可動接触子保持部とを備え、前記補助接点用可動接触子保持部は、前記可動プランジャに対して可動方向に位置調整可能とされている。
【０００６】
この第１の態様によると、主接点機構を収納した主接点収納部と、複数の補助接点機構を収納する補助接点収納部とを直列に配置し、主接点機構及び補助接点機構の可動接触子を電磁石ユニットの可動プランジャによって可動させるので、補助接点機構の構成の自由度を向上させることができるとともに、可動プランジャに主接点機構及び補助接点機構の可動接触子が個別に連結されているので、両者のミラーコンタクトをとることができる。
【０００７】
また、本発明に係る電磁開閉器の第２の態様は、前記可動プランジャと前記主接点用可動接触子とを連結する連結軸を備え、前記補助接点用可動接触子保持部の位置調整を行なう、前記連結軸の前記補助接点用可動接触子保持部及び前記可動プランジャ間に外嵌された円筒体と、前記補助接点用可動接触子保持部を前記可動プランジャ側に押圧する復帰スプリングとを備えている。
この第２の態様によると、補助接点用可動接触子保持部を円筒体と復帰スプリングとによって位置調整することができる。
【０００８】
また、本発明に係る電磁開閉器の第３の態様は、前記可動プランジャは、前記補助接点収納部内に延長する延長部を有し、該延長部に前記可動接触子保持部が螺合されて軸方向に位置調整可能とされている。
この第３の態様によると、可動接触子保持部の可動プランジャの延長部に対する軸方向位置を調整することができ、主接点機構の可動接触子の位置に対して補助接点機構の可動接触子の位置を調整することができる。
【０００９】
また、本発明に係る電磁開閉器の第４の態様は、前記補助接点収納部には、前記可動接触子保持部の回転を阻止する回転阻止部材が配設されている。
この第４の態様によると、可動プランジャに螺合された可動接触子保持部が位置調整時に回転することを阻止することができ、可動接触子と固定接触子との対向関係がずれることを防止することができる。
【００１０】
また、本発明に係る電磁接触器の第５の態様は、前記可動プランジャと前記主接点用可動接触子とを連結する連結軸を備えている。
【００１１】
また、本発明に係る電磁開閉器の第６の態様は、前記連結軸が、前記可動プランジャに螺合されて軸方向に位置調整可能とされている。
この第６の態様によると、連結軸を回転させることにより、可動プランジャに対して連結軸を軸方向に移動させることができ、主接点機構及び複数の補助接点機構のミラーコンタクトを正確に行うことができる。
【００１２】
また、本発明に係る電磁開閉器の第７の態様は、前記主接点収納部及び前記補助接点収納部が当該補助接点収納部を前記電磁石ユニット側として直列に配置されている。
この第７の態様によると、主接点収納部と電磁石ユニットとの間に補助接点収納部が配設されているので、電磁石ユニットの可動プランジャに各補助接点機構の可動接触子を連結することが可能となり、可動プランジャの軸方向を挟んで複数の補助接点機構を配置することができる。
【００１３】
また、本発明に係る電磁開閉器の第８の態様は、前記補助接点用固定接触子保持部は、前記補助接点用固定接触子を挿通保持する挿通孔を前記補助接点用可動接触子の可動方向に離間し、且つ前記補助接点用可動接触子の可動方向と直交する方向に対向して形成され、前記補助接点用可動接触子保持部を前記連結軸に前記可動方向と直交する方向から見て表裏反転可能に支持させると共に、前記補助接点用可動接触子保持部の補助接点用可動接触子側に前記接触スプリングとは反対側から対向するように補助接点用固定接触子保持部の互いに対向する挿通孔に前記補助接点用固定接触子を配置している。
この第８の態様によると、主接点収納部と電磁石ユニットとの間に補助接点収納部が配設されているので、電磁石ユニットの可動プランジャに各補助接点機構の可動接触子を連結することが可能となり、可動プランジャの軸方向を挟んで複数の補助接点機構を配置することができる。
【００１４】
また、本発明に係る電磁開閉器の第９の態様は、前記可動接触子保持部が、一方の端部に前記接触スプリングを電磁石ユニット側として可動接触子を保持し、他方の端部に前記接触スプリングを前記主接点収納部側として可動接触子を保持するように構成されている。
この第９の態様によると、可動接触子保持部の一方の端部と他方の端部とで可動接触子に対する接触スプリングの押圧方向が逆となることにより、一方をａ接点とし他方をｂ接点とすることができる。しかも、可動接触子保持部を表裏逆とすることにより、ａ接点をｂ接点に、ｂ接点をａ接点に同時に変更することができる。
また、本発明に係る電磁開閉器の第１０の態様は、前記可動接触子保持部が、両端部に前記接触スプリングを電磁石ユニット側として可動接触子を保持するように構成されている。
この第１０の態様によると、例えば複数の補助接点機構を互いに同一のａ接点とすることができる。そして、可動接触子保持部を表裏反転することにより、複数の接点機構を同一のｂ接点とすることができる。
また、本発明に係る電磁開閉器の第１１の形態は、前記可動接触子保持部が、両端部に前記接触スプリングを主接点収納部側として可動接触子を保持するように構成されている。
この第１１の態様によると、複数の補助接点機構を互いに同一のｂ接点とすることができる。そして、可動接触子保持部を表裏反転することにより、複数の接点機構を同一のａ点とすることができる。
【００１５】
また、本発明に係る電磁開閉器の第１２の態様は、前記補助接点機構は、前記主接点機構の投入状態で接触するａ接点と、前記主接点機構の釈放状態で接触するｂ接点とで構成されている。
この第１２の態様によると、異なる接点構成のａ接点及びｂ接点を有する補助接点機構を同時に構成することができる。
また、本発明に係る電磁開閉器の第１３の態様は、前記補助接点機構が、複数のａ接点で構成されている。
この第１３の態様によると、補助接点機構を複数のａ接点で構成することができる。
【００１６】
また、本発明に係る電磁開閉器の第１４の態様は、前記補助接点機構が、複数のｂ接点で構成されている。
この第１４の態様によると、補助接点機構を複数のｂ接点で構成することができる。
また、本発明に係る電磁開閉器の接点位置調整方法の第１の態様は、接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、補助接点用固定接触子及び当該補助接点用固定接触子に接離可能に配設された補助接点用可動接触子を有する２組以上の補助接点機構を収納する補助接点収納部と、前記主接点用可動接触子を連結軸で連結し、且つ前記補助接点用可動接触子を延長部で連結して可動させる可動プランジャを有する電磁石ユニットとを直列に配置し、前記補助接点用可動接触子を保持する補助接点用可動接触子保持部を前記可動プランジャに螺合させ、前記連結軸を前記可動プランジャに螺合させた状態で、前記可動プランジャと前記補助接点収納部との間に釈放時における前記主接点機構の主接点用固定接触子及び主接点用可動接触子間と前記補助接点機構の補助接点用固定接触子及び補助接点用可動接触子間との接点ワイプ量に相当するワイプ量調整板を介挿するステップと、前記可動プランジャを回動させて、前記補助接点用固定接触子及び前記補助接点用可動接触子を接触させるステップと、次いで、前記連結軸を回動させて前記主接点用固定接触子及び前記主接点用可動接触子を接触させるステップと、次いで、前記ワイプ量調整板を取り外すステップとを備えている。
【００１７】
この第１の態様によると、主接点機構の可動接触子と一対の固定接触子とのコンタクトと、複数の補助接点機構の可動接触子と固定接触子とのコンタクトとを個別に調整することができ、主接点機構及び複数の補助接点機構のミラーコンタクトを確実に調整することができる。
【００１８】
また、本発明に係る電磁開閉器の接点位置調整方法の第２の態様は、接点収納ケース内に、所定間隔を保って固定配置された一対の主接点用固定接触子と、該一対の主接点用固定接触子に対して接離可能に配設された主接点用可動接触子とを有する主接点機構を収納する主接点収納部と、補助接点用固定接触子及び当該補助接点用固定接触子に接離可能に配設された補助接点用可動接触子を有する２組以上の補助接点機構を収納する補助接点収納部と、前記主接点用可動接触子を連結軸で連結し、且つ前記補助接点用可動接触子を延長部で連結して可動させる可動プランジャを有する電磁石ユニットとを直列に配置し、前記補助接点用可動接触子を保持する補助接点用可動接触子保持部を前記可動プランジャに螺合させ、前記連結軸を前記可動プランジャに螺合させた状態で、前記可動プランジャと前記補助接点収納部との間に釈放時における前記主接点用固定接触子と主接点用可動接触子との間及び前記補助接点用固定接触子と前記補助接点用可動接触子間のギャップに相当するギャップ調整板を介挿するステップと、前記可動プランジャを回動させて、前記補助接点用固定接触子及び前記補助接点用可動接触子を接触させるステップと、前記ギャップ調整板を取り外し、前記主接点用固定接触子と前記主接点用可動接触子との間及び前記補助接点用固定接触子と前記補助接点用可動接触子との間の接点ワイプ量に相当するワイプ量調整板を介挿するステップと、次いで、前記連結軸を回動させて前記主接点用固定接触子及び前記主接点用可動接触子を接触させるステップと、次いで、前記ワイプ量調整板を取り外すステップとを備えている。
【発明の効果】
【００１９】
本発明によれば、主接点機構を収納する主接点収納部と、複数の補助接点機構を収納する補助接点収納部と、主接点機構及び複数の補助接点機構の可動接触子を個別に連結して可動させる可動プランジャを有する電磁石ユニットとを直列に配列した。
このため、補助接点機構の接点構成の自由度が大きく、主接点機構及び補助接点機構のミラーコンタクトを確実に取ることができる。
また、電磁開閉器の接点位置調整方法によれば、主接点機構の可動接触子及び複数の補助接点機構の可動接触子の固定接触子に対する接触を同時に行うミラーコンタクトを確実に行うことができるように、主接点機構及び複数の補助接点機構の可動接触子の接点位置を調整することができる。
【図面の簡単な説明】
【００２０】
【図１】本発明を電磁接触器に適用した場合の第１の実施形態を示す断面図である。
【図２】図１のＡ−Ａ線上の模式的断面図である。
【図３】図２のＢ−Ｂ線上の断面図である。
【図４】図２のＣ−Ｃ線上の断面図である。
【図５】本発明の第２の実施形態を示す断面図である。
【図６】図５のＤ−Ｄ線上の断面図である。
【図７】図６のＥ−Ｅ線上の断面図である。
【図８】図６のＦ−Ｆ線上の断面図である。
【図９】本発明におけるａ接点の接点位置調整方法を示す図である。
【図１０】本発明におけるｂ接点の接点位置調整方法を示す図である。
【発明を実施するための形態】
【００２１】
以下、本発明の実施の形態を図面に基づいて説明する。
図１は本発明の接点装置を電磁開閉器としての電磁接触器に適用した場合の一例を示す断面図である。この図１において、１は電磁接触器である。この電磁接触器１は、接点機構を配置した接点装置２と、この接点装置２を駆動する電磁石装置としての電磁石ユニット３とを有し、これらが直列に配設されている。
【００２２】
接点装置２は、消弧容器４を有し、この消弧容器４は、セラミックスで形成される下端を開放した有底円筒形の桶状体４ａとその開放端面に気密状態で固定された金属製の接合部材４ｂとで構成されている。そして、接合部材４ｂが電磁石ユニット３の後述する上部磁気ヨーク４２の上面にロウ付けや溶接等によって気密状態で固定されている。
この消弧容器４は、桶状体４ａの下面を閉塞するように固定された絶縁性を有する仕切板５で上下に分割され、上部が主接点収納部６とされ、下部が補助接点収納部７とされている。これら主接点収納部６及び補助接点収納部７が電磁石ユニット３と直列に配設されている。仕切板５には、中心部に後述する連結軸１４を挿通する挿通孔５ａが形成されている。
【００２３】
主接点収納部６は、主接点機構１０を内部に収納している。この主接点機構１０は、導電性金属、例えば銅製の一対の固定接触子１１ａ，１１ｂと、この一対の固定接触子１１ａ，１１ｂに対して接離可能に配設された導電性金属、例えば銅製の可動接触子１２とを備えている。
一対の固定接触子１１ａ，１１ｂは、桶状体４ａの上面に長手方向に所定間隔を保って形成された貫通孔１３ａ，１３ｂが設けられ、これら貫通孔１３ａ，１３ｂ内に挿通されてロウ付けや溶接等によって気密状態で固定されている。
一対の固定接触子１１ａ，１１ｂの上端は桶状体４ａの上面より上方に突出し、図示しない外部接続端子が接続されている。一対の固定接触子１１ａ，１１ｂの下端は桶状体４ａの上面より内方に所定長さ突出されている。
【００２４】
また、可動接触子１２は、図２とともに参照して明らかなように、扁平な直方体状板部で形成されている。この可動接触子１２は、電磁石ユニット３の後述する可動プランジャ４５に連結されてその軸方向に延長する連結軸１４に軸方向に可動可能に配設されている。すなわち、可動接触子１２は、上方への移動が連結軸１４に固定されたＣリング或いはＥリングで構成される止め輪１５によって規制され、下端面が連結軸１４に固定されたＣリング或いはＥリングで構成される止め輪１６との間に介挿された接触スプリング１７によって上方に押圧されている。
【００２５】
補助接点収納部７は、図３及び図４に示す固定接触子保持部２１と図２に示す可動接触子保持部２２とを有する。固定接触子保持部２１は、図３及び図４に示すように、接合部材４ｂの内周面に配設されており、主接点機構１０の可動接触子１２の延長方向と直交する方向に延長する左右一対の保持板部２３ａ，２３ｂを有する。これら一対の保持板部２３ａ，２３ｂには、図３及び図４に示すように、前後方向の両端部側にそれぞれ上下方向に所定間隔を保って穿設された接点挿通孔２４ａ１，２４ａ２及び２４ｂ１，２４ｂ２と、２５ａ１，２５ａ２及び２５ｂ１，２５ｂ２が形成されている。
【００２６】
そして、図３に示すように、前側の互いに対向する接点挿通孔２４ａ１及び２４ｂ１と接点挿通孔２４ａ２及び２４ｂ２との選択された一方にそれぞれ一対の固定接触子２６ａ，２６ｂが挿通保持される。
同様に、図４に示すように、前側の互いに対向する接点挿通孔２５ａ１及び２５ｂ１と接点挿通孔２５ａ２及び２５ｂ２との選択された一方にそれぞれ一対の固定接触子２７ａ，２７ｂが挿通保持される。
【００２７】
可動接触子保持部２２は、図２に示すように、連結軸１４の回りに配置された主接点機構１０の可動接触子１２と直交する方向に延長する保持板部２８を有する。この保持板部２８は、下方への移動が電磁石ユニット３の後述する可動プランジャ４５に固定された連結軸１４に外嵌された円筒体２９の上端で規制されている。保持板部２８の上端は仕切板５との間に介挿された復帰スプリング３０によって下方へ押圧されている。
【００２８】
この可動接触子保持部２２には、図２に示すように、前後端部側にそれぞれ左右方向に貫通する接点保持孔３１ａ，３１ｂが形成されている。接点保持孔３１ａには、図２及び図３に示すように、可動接触子３２ａが下側に配設された接触スプリング３３ａによって上方に押圧されて保持されている。接点保持孔３１ｂには、図２及び図４に示すように、可動接触子３２ｂが上側に配設された接触スプリング３３ｂによって下方に押圧されて保持されている。
【００２９】
そして、固定接触子２６ａ，２６ｂと可動接触子３２ａとで第１の補助接点機構３４Ａが構成され、固定接触子２７ａ，２７ｂと可動接触子３２ｂとで第２の補助接点機構３４Ｂが構成されている。したがって、第１の補助接点機構３４Ａ及び第２の補助接点機構３４Ｂは、連結軸１４を挟んで前後対称位置に形成されている。
【００３０】
そして、第１の補助接点機構３４Ａは、主接点機構１０が固定接触子１１ａ及び１１ｂから可動接触子１２が下方に所定ギャップを保って離間している釈放状態で、固定接触子２６ａ及び２６ｂから可動接触子３２ａが所定ギャップを保って離間しているａ接点構成とされている。
また、第２の補助接点機構３４Ｂは、主接点機構１０が釈放状態で、固定接触子２７ａ及び２７ｂに対して可動接触子３２ｂが接触スプリング３３ｂの接触圧で接触しているｂ接点構成とされている。
【００３１】
電磁石ユニット３は、図１及び図２に示すように、扁平な有底円筒状の磁気ヨーク４１と、この磁気ヨーク４１の開放端を閉塞する円板状の上部磁気ヨーク４２とを有する。
磁気ヨーク４１には、内部に円筒状の励磁コイル４３が配置され、この励磁コイル４３の内周面に非磁性金属製の有底円筒体状に形成されたキャップ４４が配置されている。
このキャップ４４は、上端に外方に延長するフランジ部４４ａが形成され、このフランジ部４４ａが上部磁気ヨーク４２の下面にロウ付けや溶接等によって気密状態に固定されている。
【００３２】
キャップ４４の内部には、円柱状の可動プランジャ４５が上下方向に可動可能に配置され、この可動プランジャ４５の上部中心位置に連結軸１４が嵌合されて固定されている。また、可動プランジャ４５の上面における連結軸１４の回りに円筒体２９が固定されている。
したがって、主接点収納部６、補助接点収納部７及びキャップ４４で密封空間が形成され、この密封空間内に、水素ガス、窒素ガス、水素及び窒素の混合ガス、空気、ＳＦ６等のアーク消弧ガスが封入されている。
また、上部磁気ヨーク４２には、中心部に連結軸１４及び円筒体２９を挿通する挿通孔４２ａが形成されている。
【００３３】
次に、上記第１の実施形態の動作を説明する。
今、主接点機構１０の固定接触子１１ａが外部接続端子（図示せず）を介して例えば大電流を供給する電力供給源に接続され、固定接触子１１ｂが外部接続端子（図示せず）を介して負荷に接続されているものとする。
この状態で、電磁石ユニット３における励磁コイル４３が非通電状態にあって、電磁石ユニット３で可動プランジャ４５を可動させる励磁力を発生していないものとする。この状態では、図１及び図２に示すように、可動プランジャ４５が復帰スプリング３０によって、上部磁気ヨーク４２から離れる下方向に付勢されて、キャップ４４の底部に当接している。このため、可動プランジャ４５に連結軸１４を介して連結された主接点機構１０の可動接触子１２は、固定接触子１１ａ及び１１ｂに対して所定ギャップを介して下方から対向し、固定接触子１１ａ及び１１ｂが電気的に切り離された開極状態となっている。
【００３４】
この主接点機構１０の釈放状態では、第１の補助接点機構３４Ａは、図３に示すように、固定接触子２６ａ及び２６ｂから可動接触子３２ａが下方に所定ギャップだけ離間して固定接触子２６ａ及び２６ｂ間が電気的に切り離された開極状態となっている。
これに対して、第２の補助接点機構３４Ｂでは、図４に示すように、固定接触子２７ａ，２７ｂに可動接触子３２ｂが接触スプリング３３ｂの接触圧によって接触する閉極状態となっている。
【００３５】
この主接点機構１０の開極状態から、電磁石ユニット３の励磁コイル４３に通電すると、この電磁石ユニット３で励磁力を発生させて、可動プランジャ４５を復帰スプリング３０に抗して上方に押し上げる。これに応じて、可動プランジャ４５に連結軸１４を介して連結されている主接点機構１０の可動接触子１２が上方に移動し、可動接触子１２が固定接触子１１ａ，１１ｂの下面に接触スプリング１７の接触圧で接触する。
【００３６】
このため、外部電力供給源の大電流ｉが外部接続端子（図示せず）、固定接触子１１ａ、可動接触子１２、固定接触子１１ｂ及び外部接続端子（図示せず）を通じて負荷に供給され投入状態となる。
この主接点機構１０の投入状態では、第１の補助接点機構３４Ａは可動接触子３２ａが固定接触子２６ａ及び２６ｂに接触スプリング３３ａの接触圧で接触する閉極状態となり、第２の補助接点機構３４Ｂは可動接触子３２ｂが固定接触子２７ａ及び２７ｂから下方に所定ギャップ分離間して開極状態となる。
【００３７】
この主接点機構１０の閉極状態から、負荷への電流供給を遮断する場合には、電磁石ユニット３の励磁コイル４３への通電を停止する。
これによって、電磁石ユニット３で可動プランジャ４５を上方に移動させる励磁力がなくなることにより、可動プランジャ４５が復帰スプリング３０の付勢力によって下降する。この可動プランジャ４５が下降することにより、連結軸１４を介して連結された可動接触子１２が接触スプリング１７の接触圧が無くなるまでの間は固定接触子１１ａ，１１ｂに接触している。その後、接触スプリング１７の接触圧が無くなった時点で可動接触子１２が固定接触子１１ａ，１１ｂから下方に離間する開極状態となる。
【００３８】
この開極状態となると、固定接触子１１ａ，１１ｂと可動接触子１２との間にアークが発生する。発生したアークは、図示しないアーク消弧用永久磁石の磁力によって引き伸ばされて消弧される。
なお、上記第１の実施形態では、第１の補助接点機構３４Ａをａ接点構成とし、第２の補助接点機構３４Ｂをｂ接点構成とした１ａ１ｂ接点構成とした場合について説明した。
【００３９】
しかしながら、本発明では、可動接触子保持部２２を表裏逆に配置するとともに、固定接触子２６ａ，２６ｂ及び２７ａ，２７ｂを電磁石ユニット３側の接点挿通孔２４ａ２，２４ｂ２及び２５ａ２，２５ｂ２に挿通保持させることにより、第１の補助接点機構３４Ａをｂ接点構成に変更し、第２の補助接点機構３４Ｂをａ接点構成に変更することができる。
【００４０】
さらに、第１の補助接点機構３４Ａをａ接点構成からｂ接点構成に変更するには、先ず、可動接触子３２ａ及び接触スプリング３３ａを上下逆関係として、接触スプリング３３ａを電磁石ユニット３側とし、可動接触子３２ａを主接点収納部６側とする。これに応じて、固定接触子２６ａ及び２６ｂを電磁石ユニット３側の接点挿通孔２５ａ２及び２５ｂ２に挿通すればよい。このため、第２の補助接点機構３４Ｂの接点構成をａ接点及びｂ接点の何れかに任意に変更することができる。
【００４１】
さらに、第２の補助接点機構３４Ｂをｂ接点構成からａ接点構成に変更するには、可動接触子３２ｂ及び接触スプリング３３ｂを上下逆関係として、接触スプリング３３ｂを電磁石ユニット３側とし、可動接触子３２ｂを主接点収納部６側とする。これに応じて、固定接触子２７ａ及び２７ｂを主接点収納部６側の接点挿通孔２５ａ１及び２５ｂ１に挿通すればよい。このため、第２の補助接点機構３４Ｂの接点構成をａ接点及びｂ接点の何れかに任意に変更することができる。
【００４２】
このように、上記第１の実施形態によると、主接点収納部６、補助接点収納部７及び電磁石ユニット３がこれらの順に直列に配置されている。このため、主接点収納部６及び補助接点収納部７を確実に軸方向に分離しながら、主接点収納部６及び補助接点収納部７の可動接触子１２及び３２ａ，３２ｂを１つの可動プランジャ４５で可動させることができる。
【００４３】
そして、主接点収納部６及び補助接点収納部７の可動接触子１２及び３２ａ，３２ｂと可動プランジャ４５との連結が個別の連結軸１４及び円筒体２９を介して行うので、主接点機構１０及び補助接点機構３４Ａ，３４Ｂにおける固定接触子１１ａ，１１ｂ及び２６ａ，２６ｂ、２７ａ，２７ｂと可動接触子１２及び３２ａ、３２ｂとの間のギャップを個別に調整することができる。
【００４４】
また、補助接点収納部７では、第１の補助接点機構３４Ａ及び第２の補助接点機構３４Ｂを連結軸１４及び円筒体２９を挟んで前後対称位置に並列配置することができるので、両補助接点機構３４Ａ及び３４Ｂを互いに干渉することなく動作させることができるとともに、遮断限界を大きくすることができる。さらに、主接点収納部６及び補助接点収納部７との間を仕切板５で仕切ることができ、第１の補助接点機構３４Ａ及び第２の補助接点機構３４Ｂが主接点機構１０でのアーク発生時に生じる金属蒸気の影響を受けることを確実に防止することができ、第１の補助接点機構３４Ａ及び第２の補助接点機構３４Ｂの寿命を長寿命化することができ、接触信頼性を保つことができる。
【００４５】
さらに、第１の補助接点機構３４Ａ及び第２の補助接点機構３４Ｂでは、固定接触子２６ａ，２６ｂ及び２７ａ，２７ｂの固定接触子保持部２１の接点挿入孔への挿入位置を変更するとともに、可動接触子保持部２２の表裏を逆に反転して可動接触子３２ａ及び３２ｂの可動接触子保持部２２の可動接触子３２ａ及び３２ｂと接触スプリング３３ａ及び３３ｂとの上下位置関係を逆にすることにより、ａ接点構成をｂ接点構成とし、ｂ接点構成をａ接点構成とすることができる。
【００４６】
さらには、可動接触子保持部２２に可動接触子３２ａ及び３２ｂを主接点収納部６側とし、接触スプリング３３ａ及び３３ｂを電磁石ユニット３側として保持し、固定接触子２６ａ，２６ｂ及び２７ａ，２７ｂを主接点収納部６側の接点挿通孔２４ａ１，２４ｂ１及び２５ａ１，２５ｂ１に配置することにより、第１の補助接点機構３４Ａ及び第２の補助接点機構３４Ｂをともにａ接点構成とすることができる。
【００４７】
同様に、可動接触子保持部２２に可動接触子３２ａ及び３２ｂを電磁石ユニット３側とし、接触スプリング３３ａ及び３３ｂを主接点収納部６側として保持し、固定接触子２６ａ，２６ｂ及び２７ａ，２７ｂを電磁石ユニット３側の接点挿通孔２４ａ２，２４ｂ２及び２５ａ２，２５ｂ２に配置することにより、第１の補助接点機構３４Ａ及び第２の補助接点機構３４Ｂをともにｂ接点構成とすることができる。
【００４８】
このように、上記第１の実施形態によると、第１の補助接点機構３４Ａ及び第２の補助接点機構３４Ｂの接点構成をａ接点構成及びｂ接点構成の何れに設定することができ、接点構成の自由度を前述した従来例に比較して大幅に向上させることができる。
次に、本発明の第２の実施形態を図５〜図１０について説明する。
この第２の実施形態では、主接点機構の固定接触子及び可動接触子間のギャップと補助接点機構の固定接触子及び可動接触子間のギャップとを個別に調整可能としたものである。
【００４９】
すなわち、第２の実施形態では、図５〜図８に示すように、前述した第１の実施形態における図１の構成において、連結軸１４の下端に雄ねじ５１を形成し、この雄ねじ５１を可動プランジャ４５に形成した雌ねじ５２に螺合させている。また、円筒体２９を省略し、これに代えて可動プランジャ４５に上部磁気ヨーク４２の挿通孔４２ａを挿通して補助接点収納部７内に延長する延長部５３を形成し、この延長部５３の上部側外周面に雄ねじ５４を形成し、この雄ねじ５４に可動接触子保持部２２に形成した雌ねじ５５を螺合させている。なお、補助接点収納部７内には、可動接触子保持部２２の回転を阻止する回転阻止部材５７が配設されている。
【００５０】
上記構成以外の構成は、前述した第１の実施形態と同様の構成を有するので、前述した第１の実施形態との同一部分には、同一符号を付し、その詳細説明はこれを省略する。
この第２の実施形態によると、前述した第１の実施形態と同様に、補助接点収納部７に複数の補助接点機構３４Ａ及び３４Ｂを配置することができるとともに、第１の補助接点機構３４Ａ及び第２の補助接点機構３４Ｂの接点構成の自由度を向上させることができる。
【００５１】
また、上記第２の実施形態によると、連結軸１４が可動プランジャ４５に螺合され、補助接点機構３４Ａ及び３４Ｂの可動接触子保持部２２が可動プランジャ４５の延長部５３に螺合されている。
したがって、主接点機構１０の固定接触子１１ａ，１１ｂと可動接触子１２との間のギャップを任意に調整することができるとともに、第１の補助接点機構３４Ａ及び第２の補助接点機構３４Ｂの固定接触子２６ａ，２６ｂ及び２７ａ，２７ｂと可動接触子３２ａ及び３２ｂとの間のギャップを任意に調整することができる。
【００５２】
次に、主接点機構１０及び第１の補助接点機構３４Ａ，第２の補助接点機構３４Ｂのギャップ調整方法を図９及び図１０について説明する。
この図９及び図１０では第１の補助接点機構３４Ａ及び第２の補助接点機構３４Ｂがともに同じ接点構成すなわちａ接点構成及びｂ接点構成を有する場合として説明する。
先ず、第１の補助接点機構３４Ａ及び第２の補助接点機構３４Ｂがａ接点構成である場合には、キャップ４４を装着する前に、先ず、図９（ａ）に示すように、上部磁気ヨーク４２と可動プランジャ４５の上端との間にａ接点構成における固定接触子２６ａ，２６ｂ及び２７ａ，２７ｂに対して可動接触子３２ａ及び３２ｂが接触し始めてから完全に閉状態となるまでの可動接触子保持部２２の移動量表す接点ワイプ量に相当する例えばＵ字状や半月状の接点ワイプ量調整板６１を介挿する。
【００５３】
この状態で、図９（ｂ）に示すように、可動プランジャ４５を平面から見て時計方向に回転させることにより、可動接触子保持部２２が上昇することになり、可動接触子３２ａ及び３２ｂを固定接触子２６ａ，２６ｂ及び２７ａ，２７ｂに接触スプリング３３ａ及び３３ｂの所定の接触圧で接触させる。
次いで、図９（ｃ）に示すように、可動プランジャ４５を固定した状態で、可動プランジャ４５の雌ねじ５２内にドライバー等の工具６２を挿通させて連結軸１４を平面から見て反時計方向に回転させることにより、主接点機構１０の可動接触子１２が固定接触子１１ａ及び１１ｂに接触スプリング１７による所定接触圧で接触させる。
【００５４】
次いで、図９（ｄ）に示すように、接点ワイプ量調整板６１を取り外して、主接点機構１０と補助接点機構３４Ａ及び３４Ｂとのギャップ位置調整を終了する。
このキャップ位置調整を終了した後に、キャップ４４を上部磁気ヨーク４２の下面に可動プランジャ４５を囲むように気密状態で固定する。
このように主接点機構１０と第１の補助接点機構３４Ａ及び第２の補助接点機構３４Ｂとの接点ワイプ量の調整を完了することにより、主接点機構１０と第１の補助接点機構３４Ａ及び第２の補助接点機構３４Ｂとの固定接触子及び可動接触子間のギャップを正確に調整することができ、正確にミラーコンタクトを取ることができる。
【００５５】
一方、第１の補助接点機構３４Ａ及び第２の補助接点機構３４Ｂがｂ接点構成である場合には、キャップ４４を装着する前に、先ず、図１０（ａ）に示すように、上部磁気ヨーク４２と可動プランジャ４５の上端との間にａ接点構成における固定接触子２６ａ，２６ｂ及び２７ａ，２７ｂと可動接触子３２ａ及び３２ｂとの間に形成する所定ギャップと同一厚さを有する例えばＵ字状や半月状のギャップ調整板７１を介挿する。
この状態で、図１０（ｂ）に示すように、可動プランジャ４５を平面から見て時計方向に回転させることにより、可動接触子保持部２２が上昇することになり、可動接触子３２ａ及び３２ｂを固定接触子２６ａ，２６ｂ及び２７ａ，２７ｂに接触する初期接触状態とする。
【００５６】
次いで、図１０（ｃ）に示すように、ギャップ調整板７１を引き抜いて、このギャップ調整板７１の代わりに、固定接触子２６ａ，２６ｂ及び２７ａ，２７ｂに対して可動接触子３２ａ及び３２ｂが接触し始めてから完全に閉状態となるまでの可動接触子保持部２２の移動量表す接点ワイプ量に相当する例えばＵ字状や半月状の接点ワイプ量調整板６１を介挿する。次いで、可動プランジャ４５を固定した状態で、可動プランジャ４５の雌ねじ５２内にドライバー等の工具６２を挿通させて連結軸１４を平面から見て反時計方向に回転させることにより、主接点機構１０の可動接触子１２が固定接触子１１ａ及び１１ｂに接触する初期接触状態とする。
【００５７】
次いで、図１０（ｄ）に示すように、接点ワイプ量調整板６１を取り外して、主接点機構１０と補助接点機構３４Ａ及び３４Ｂとの接点ワイプ量調整を終了する。
この接点ワイプ量調整を終了した後に、キャップ４４を上部磁気ヨーク４２の下面に可動プランジャ４５を囲むように気密状態で固定する。
このように主接点機構１０と第１の補助接点機構３４Ａ及び第２の補助接点機構３４Ｂとの接点ワイプ量調整及びギャップ調整を完了することにより、主接点機構１０とｂ接点構成を有する第１の補助接点機構３４Ａ及び第２の補助接点機構３４Ｂとの固定接触子及び可動接触子間のギャップ量及び接点ワイプ量を正確に調整することができ、正確にミラーコンタクトを取ることができる。
さらに、上記実施形態においては、本発明を電磁接触器に適用した場合について説明したが、これに限定されるものではなく、電磁継電器や他の電磁的に開閉動作を行う機器を含む任意の電磁開閉器に適用することができる。
【符号の説明】
【００５８】
１…電磁接触器、２…接点装置、３…電磁石ユニット、４…消弧容器、４ａ…桶状体、４ｂ…接合部材、１１ａ，１１ｂ…固定接触子、１２…可動接触子、１４…連結軸、１７…接触スプリング、２１…固定接触子保持部、２２…可動接触子保持部、２４ａ１，２４ａ２，２４ｂ１，２４ｂ２，２５ａ１，２５ａ２，２５ｂ１，２５ｂ２…接点挿通孔、２６ａ，２６ｂ，２７ａ，２７ｂ…固定接触子、３０…復帰スプリング、３２ａ，３２ｂ…可動接触子、３３ａ，３３ｂ…接触スプリング、３４Ａ…第１の補助接点機構、３４Ｂ…第２の補助接点機構、４１…磁気ヨーク、４２…上部磁気ヨーク、４３…励磁コイル、４４…キャップ、４５…可動プランジャ、５１…雄ねじ、５２…雌ねじ、５３…延長部、５４…雄ねじ、５５…雌ねじ、５７…回転阻止部材、６１…接点ワイプ量調整板、７１…ギャップ調整板
【図１】
0005986421.tif 000002
【図２】
0005986421.tif 000003
【図３】
0005986421.tif 000004
【図４】
0005986421.tif 000005
【図５】
0005986421.tif 000006
【図６】
0005986421.tif 000007
【図７】
0005986421.tif 000008
【図８】
0005986421.tif 000009
【図９】
0005986421.tif 000010
【図１０】
0005986421.tif 000011